(57)【要約】【課題】調理設定部を一つ設けるだけで済むうえに、同時に複数の加熱部で自動調理を行うことができる加熱調理器を提供する。【解決手段】複数の加熱部２で自動調理を行うための調理設定部５を一つ設ける。調理設定部５は、自動調理を行う加熱部２の選択をする加熱部選択入力部６、選択した加熱部２を表示する加熱部選択表示部６３、選択した加熱部２で自動調理を行うための一組の調理入力部７及び調理表示部８とを備える。加熱部選択入力部６にて自動調理を行う一の加熱部２を選択して調理入力部７の入力に基づき自動調理を実行し、一の加熱部２の加熱部選択表示部６３、実行した自動調理に対応する調理表示部８で一表示形態にて表示する。加熱部選択入力部６にて自動調理を行う他の加熱部２を選択して調理入力部７の入力に基づき自動調理を実行し、他の加熱部２の加熱部選択表示部６３及び実行した自動調理に対応する調理表示部８で別の表示形態にて表示する。【選択図】        図１
2010112625.tif 000002
【特許請求の範囲】
【請求項１】
複数の加熱部を備えると共に、加熱部で自動調理を行うための調理設定部を一つ設け、前記調理設定部は、自動調理を行う加熱部の選択をする加熱部選択入力部及び選択した加熱部にそれぞれ対応する加熱部選択表示部と、選択した加熱部で各種の自動調理を行うための一組の調理入力部及び各種の自動調理にそれぞれ対応する調理表示部とを備え、加熱部選択入力部にて自動調理を行う一の加熱部を選択して調理入力部の入力に基づき自動調理を実行し、選択した一の加熱部に対応する加熱部選択表示部及び該一の加熱部について実行した自動調理に対応する調理表示部で一表示形態での表示を行うと共に、加熱部選択入力部にて自動調理を行う別の加熱部を選択して調理入力部の入力に基づき自動調理を実行し、選択した別の加熱部に対応する加熱部選択表示部及び該別の加熱部について実行した自動調理に対応する調理表示部で別の表示形態での表示を行うことを特徴とする加熱調理器。
【請求項２】
一表示形態と別の表示形態の一方を点灯とすると共に他方を点滅とすることを特徴とする請求項１記載の加熱調理器。
【請求項３】
一表示形態と別の表示形態とで、加熱部選択表示部及び調理表示部での発光色を異ならせることを特徴とする請求項１又は２記載の加熱調理器。
【請求項４】
複数の加熱部を備えると共に、加熱部で自動調理を行うための調理設定部を一つ設け、前記調理設定部は、自動調理を行う加熱部の選択をする加熱部選択入力部及び選択した加熱部にそれぞれ対応する加熱部選択表示部と、選択した加熱部で各種の自動調理を行うための一組の調理入力部及び各種の自動調理にそれぞれ対応する調理表示部とを備え、加熱部選択入力部にて自動調理を行う一の加熱部を選択して調理入力部の入力に基づき自動調理を実行し、選択した一の加熱部に対応する加熱部選択表示部及び該一の加熱部について実行した自動調理に対応する調理表示部での表示を同期させて行うと共に、加熱部選択入力部にて自動調理を行う別の加熱部を選択して調理入力部の入力に基づき自動調理を実行し、選択した別の加熱部に対応する加熱部選択表示部及び該別の加熱部について実行した自動調理に対応する調理表示部での表示を同期させて行い、前記両方の同期の期間をずらすことを特徴とする加熱調理器。
【発明の詳細な説明】
【技術分野】
【０００１】
本発明は、加熱調理器に関するものである。
【背景技術】
【０００２】
従来から、自動調理の機能を有する加熱部を備えた加熱調理器が知られている。
【０００３】
加熱調理器は複数の加熱部を備えており、揚げもの、炊飯、湯わかし等の自動調理が可能となっている。
【０００４】
ところで、加熱部で自動調理を可能とする場合、調理入力部及び調理表示部からなる調理設定部を本体ケーシングに設ける必要があるが、複数の加熱部で自動調理を可能とする場合、各加熱部に対応する調理設定部をそれぞれ設けようとすると、加熱調理器の本体ケーシングに調理設定部の配設スペースをそれぞれ確保する必要があって大型化してしまうと共にコストの増大化を招いてしまうという問題があった。
【０００５】
このため、加熱部の一つを自動調理可能として、残りの加熱部を自動調理不可とすることで、上記問題を解決することが考えられるが、この場合、複数の加熱部から自動調理する加熱部を適宜選択して自動調理を行うことができず、また、自動調理が可能な加熱部の位置を異ならせた複数種類の加熱調理器を製造するとなると、設計及び製造の手間がかかってしまうものであった。
【０００６】
そこで、特許文献１に示されるように、複数の加熱部を備えると共に、タイマー設定表示等の付加機能の操作部・表示部を一箇所に集約し、前記付加機能の操作部・表示部を複数の加熱部で共有して適宜切り替えるようにすることで、上記問題を解決するものが開発されているが、このものにあっては、加熱状態の表示部は各加熱部毎に設けるものであった。
【特許文献１】特開２００２−００５４５４号公報
【発明の開示】
【発明が解決しようとする課題】
【０００７】
そこで、本出願人は、調理設定部とその表示部を複数の加熱部で共有して適宜切り替えるようにした加熱調理器を開発した（特願２００７−１９４６７２参照）。
【０００８】
この加熱調理器にあっては、調理設定部を一つ設けるだけで済んで本体ケーシングの小型化及び簡素化が図られる、といった利点があるものの、同時に複数の加熱部で自動調理を行うことができず、使い勝手が悪いものであった。
【０００９】
本発明は上記従来の問題点に鑑みて発明したものであって、その目的とするところは、加熱調理器に調理設定部を一つ設けるだけで済んで本体ケーシングの小型化及び簡素化が図られ、しかも自動調理を行う加熱部を複数のうちから選択可能で複数種類の加熱調理器を製造する必要がなくて設計及び製造ラインの簡素化が図られるうえに、同時に複数の加熱部で自動調理を行うことができる加熱調理器を提供することを課題とするものである。
【課題を解決するための手段】
【００１０】
上記課題を解決するために請求項１に係る加熱調理器は、複数の加熱部２を備えると共に、加熱部２で自動調理を行うための調理設定部５を一つ設け、前記調理設定部５は、自動調理を行う加熱部２の選択をする加熱部選択入力部６及び選択した加熱部２にそれぞれ対応する加熱部選択表示部６３と、選択した加熱部２で各種の自動調理を行うための一組の調理入力部７及び各種の自動調理にそれぞれ対応する調理表示部８とを備え、加熱部選択入力部６にて自動調理を行う一の加熱部２を選択して調理入力部７の入力に基づき自動調理を実行し、選択した一の加熱部２に対応する加熱部選択表示部６３及び該一の加熱部２について実行した自動調理に対応する調理表示部８で一表示形態での表示を行うと共に、加熱部選択入力部６にて自動調理を行う別の加熱部２を選択して調理入力部７の入力に基づき自動調理を実行し、選択した別の加熱部２に対応する加熱部選択表示部６３及び該別の加熱部２について実行した自動調理に対応する調理表示部８で別の表示形態での表示を行うことを特徴とするものである。
【００１１】
本発明においては、加熱部選択入力部６での選択により、一の加熱部２での自動調理を維持したまま、別の加熱部２で自動調理を行うことが可能となり、一の加熱部２に対応する加熱部選択表示部６３及び該一の加熱部２で実行した自動調理に対応する調理表示部８で一表示形態での表示を行うと共に、別の加熱部２に対応する加熱部選択表示部６３及び該別の加熱部２で実行した自動調理に対応する調理表示部８で別の表示形態での表示を行うことで、いずれの加熱部２でいずれの自動調理が行われているかを認識することが可能となる。
【００１２】
また、請求項２に係る発明は、請求項１に係る加熱調理器において一表示形態と別の表示形態の一方を点灯とすると共に他方を点滅とすることを特徴とするものである。
【００１３】
このような構成とすることで、点灯及び点滅という容易な方法で一表示形態と別の表示形態とを識別できて、簡単な構成で識別が可能となり、加熱調理器の製造コストが増大せずに済む。
【００１４】
また、請求項３に係る発明は、請求項１又は２に係る加熱調理器において、一表示形態と別の表示形態とで、加熱部選択表示部６３及び調理表示部８での発光色を異ならせることを特徴とするものである。
【００１５】
このような構成とすることで、発光色の違いにより、即座に容易に一表示形態と別の表示形態の識別が可能となる。また一表示形態と別の表示形態のいずれも点灯とすることで、点滅の場合に発生するちらつきがなくて済むため、視認性が向上する。
【００１６】
また、請求項４に係る加熱調理器は、複数の加熱部２を備えると共に、加熱部２で自動調理を行うための調理設定部５を一つ設け、前記調理設定部５は、自動調理を行う加熱部２の選択をする加熱部選択入力部６及び選択した加熱部２にそれぞれ対応する加熱部選択表示部６３と、選択した加熱部２で各種の自動調理を行うための一組の調理入力部７及び各種の自動調理にそれぞれ対応する調理表示部８とを備え、加熱部選択入力部６にて自動調理を行う一の加熱部２を選択して調理入力部７の入力に基づき自動調理を実行し、選択した一の加熱部２に対応する加熱部選択表示部６３及び該一の加熱部２について実行した自動調理に対応する調理表示部８での表示を同期させて行うと共に、加熱部選択入力部６にて自動調理を行う別の加熱部２を選択して調理入力部７の入力に基づき自動調理を実行し、選択した別の加熱部２に対応する加熱部選択表示部６３及び該別の加熱部２について実行した自動調理に対応する調理表示部８での表示を同期させて行い、前記両方の同期の期間をずらすことを特徴とするものである。
【００１７】
本発明では、加熱部選択入力部６での選択により、一の加熱部２での自動調理を維持したまま、別の加熱部２で自動調理を行うことが可能となり、一の加熱部２に対応する加熱部選択表示部６３及び該一の加熱部２について実行した自動調理に対応する調理表示部８での表示を同期させて行うと共に、別の加熱部２に対応する加熱部選択表示部６３及び該別の加熱部２について実行した自動調理に対応する調理表示部８での表示を同期させて行い、前記両方の同期の期間がずれているため、いずれの加熱部２でいずれの自動調理が行われているかを認識することが可能となると共に、複数の加熱部２で同じ自動調理が行われていても表示が可能となる。
【発明の効果】
【００１８】
本発明にあっては、加熱調理器に調理設定部を一つ設けるだけで済んで本体ケーシングの小型化及び簡素化が図られ、しかも自動調理を行う加熱部を複数のうちから選択することで複数種類の加熱調理器を製造する必要がなくて設計及び製造ラインの簡素化が図られるうえに、同時に複数の加熱部で自動調理を行うことが可能となる。
【発明を実施するための最良の形態】
【００１９】
以下、本発明の一実施形態について添付図面に基づいて説明する。本実施形態では、加熱調理器をガスこんろＡとして説明するが、電磁調理器であってもよく特に限定されないものである。
【００２０】
本発明の加熱調理器は、図１に示すように、複数（少なくとも二つ）の加熱部２を備えたものを対象とするもので、本実施形態では三つの加熱部２とグリルとを備えたガスこんろについて説明する。なお、グリル及びその操作部等の詳細については説明を省略する。
【００２１】
ガスこんろＡには、主体を構成する本体ケーシング１の内部の左右方向の中央部にグリル３が配設してあり、本体ケーシング１の前面の左右方向の中央部にグリル扉３ａが配置してある。
【００２２】
本実施形態では、本体ケーシング１の上面に三つの加熱部２としてのこんろ部が配設してあり、上面の手前側の左側に左加熱部としての左こんろ部２ａと、右側に右加熱部としての右こんろ部２ｂと、上面の後側の左右方向の中央部に後加熱部としての後こんろ部２ｃとがそれぞれ配設してある。ここで、左こんろ部２ａ及び右こんろ部２ｂはなべ底の温度を検知する温度センサ２ｄを有して燃焼制御及び自動調理が可能であると共に高火力となっており、後こんろ部２ｃは小火力となっている。
【００２３】
各こんろ部は、図２に示すように、こんろバーナ２１と、こんろバーナ２１に点火する点火プラグ２２と、こんろバーナ２１の点火を検出する熱電対からなる点火検出装置２３とが設けてある。点火プラグ２２は、後述する点火・消火操作部４における点火操作によってマイクロコンピュータからなる制御部（図示せず）により点火動作が行われ、点火検出装置２３において検出された点火情報は制御部に認識されて、制御部により点火プラグ２２での点火処理を終了する。こんろバーナ２１、点火プラグ２２、点火検出装置２３、制御部は本体ケーシング１内に収容される。
【００２４】
各こんろバーナ２１には、都市ガス等の燃料ガスを供給するガス供給路２５からそれぞれ分岐する分岐路２６が接続してある。ガス供給路２５には電磁弁２７が設けてあると共に、各分岐路２６には、燃料ガスの供給量の調節を行うためステッピングモータ等の駆動手段２８により駆動されて弁体の開度位置の微調整が可能な流量制御弁２９と、前記弁体の開度位置を検出する位置センサ（図示せず）とが設けてある。電磁弁２７及び流量制御弁２９は、制御部により制御が行われ、位置センサにおける検出情報は制御部によって認識・処理される。また、流量制御弁２９は、対応するこんろバーナ２１が使用されない時には、流量を零にして遮断状態となるように切り換えられる。
【００２５】
本体ケーシング１の前面の上部（本実施形態では左側の上部及び右側の上部）にはそれぞれ上記複数の加熱部２の点火、消火操作を手動で行うための点火・消火操作部４が設けてある。本実施形態では図１に示すように、前面の左側に左こんろ部２ａの点火、消火操作を行うための点火・消火操作部４ａが配設してあり、前面の右側に右こんろ部２ｂの点火、消火操作を行うための点火・消火操作部４ｂと、後こんろ部２ｃの点火、消火操作を行うための点火・消火操作部４ｃとが配設してある。なお、加熱調理器がガスこんろＡでない場合（例えば電磁調理器である場合）は、点火・消火操作部４を加熱開始・停止操作部とする。
【００２６】
各点火・消火操作部４は、本実施形態では前後方向に移動自在な押釦により構成してあり、点火・消火操作部４を構成する押釦は前後方向に移動自在で且つ前方に突出した状態で回動自在となっている。消火状態では点火・消火操作部４が後方に押されて押釦よりなる点火・消火操作部４の前面が本体ケーシング１の前面と略面一状態となるように後退状態が保持されている。加熱部２の使用に当たっては、押釦よりなる点火・消火操作部４を押し操作して点火操作をすることで、後退していた点火・消火操作部４が前方に突出して器具栓がＯＮとなり、流出する燃料ガスにスパーク放電がなされて加熱部２に点火される。この押釦よりなる点火・消火操作部４が前方に突出した状態で点火・消火操作部４を指で摘んで回動操作することで加熱部２の火力調整ができるようになっている。一方、消火にあたっては、前方に突出している点火・消火操作部４を後方に押し操作することで器具栓がＯＦＦとなって加熱部２が消火されると共に、点火・消火操作部４の前面が本体ケーシング１の前面と略面一状態となるように後退状態で保持される。また、後述する自動調理やタイマ機能や異常検知によって自動消火される場合もあり、この場合には点火・消火操作部４が器具栓をＯＮとする状態であっても、流量制御弁２９により燃料ガスが遮断されて消火されるものであり、「消火」という場合には前記のように流量制御弁２９により消火される場合と器具栓がＯＦＦとなって消火される場合の両方を含むものとする。なお、加熱部２における点火状態及び消火状態は、点火検出装置２３によって検知される。
【００２７】
本体ケーシング１の前面の下部には操作パネル１１が収納自在に設けてある。本実施形態では本体ケーシング１の前面の左右の下部にそれぞれ操作パネル１１が収納自在に設けてある。両操作パネル１１のうち、一方の操作パネル１１にはグリル３に関する操作を行うためのグリル用設定部５ｂが設けてあり、他方の操作パネル１１には加熱部２による調理設定の入力を行うための調理設定部５が設けてある。
【００２８】
加熱部２（ここでは左こんろ部２ａ又は右こんろ部２ｂ）による調理設定の入力を行うための調理設定部５は、図３に示すように、左こんろ部２ａ又は右こんろ部２ｂによる調理時間を設定するためのタイマ入力部９と、揚げもの、炊飯、湯わかしの自動調理のメニューを設定するための一組の調理入力部７及び調理表示部８と、左こんろ部２ａ又は右こんろ部２ｂのいずれの加熱部２で自動調理を行うかの加熱部選択入力部６（左こんろ部選択スイッチ６１、右こんろ部選択スイッチ６２）とを備えている。
【００２９】
本実施形態では、調理入力部７として揚げものスイッチ７１と、炊飯スイッチ７２と、湯わかしスイッチ７３とが設けてある。揚げものスイッチ７１は、何回押すかで２００℃、１８０℃、１６０℃といった複数種類の揚げものの調理の中から目的とする温度の揚げもの調理が設定できると共に、揚げもの表示部８１に前記設定が表示されるようになっている。また、炊飯スイッチ７２は、何回押すかでごはん、おかゆといった複数種類の炊飯の調理の中から目的とする炊飯の調理が設定できると共に、炊飯表示部８２に前記設定が表示されるようになっている。また、湯わかしスイッチ７３は、何回押すかで自動消火、５分保温といった湯わかし後にすぐ消火するか、あるいは一定時間保温するかといった湯わかしを選択して設定できると共に、湯わかし表示部８３に前記設定が表示されるようになっている。
【００３０】
これらの調理設定部５において、加熱部２（左こんろ部２ａ又は右こんろ部２ｂ）における自動調理の設定が行われると、後述するように自動調理が実行された際、制御部によりあらかじめ設定された制御内容に基づいて加熱部２における火力調整、調理時間等が自動制御されるものであり、なべ底温度を加熱部２に設けた温度センサ２ｄにより検出して、該温度センサ２ｄで検出したなべ底温度を制御部に入力してフィードバック制御により火力調整を行うようになっている。
【００３１】
また、タイマ機能を使用する際には、タイマ機能を使用する加熱部２（左こんろ部２ａ又は右こんろ部２ｂ又は後こんろ部２ｃ）をタイマ入力部９のタイマ選択スイッチ９１により選択するもので、タイマ選択スイッチ９１は押す毎に選択される加熱部２が左こんろ部２ａ→右こんろ部２ｂ→後こんろ部２ｃ→左こんろ部２ａ→・・・といったような順で変化するため、適当な回数を押すことで所望の加熱部２を選択することができる。そしてタイマ選択スイッチ９１の時間設定スイッチ９２「＋」「−」を入力することで５分単位、１０分単位、あるいは１分単位等で時間を設定し、これによりタイマ表示部９３に設定時間が表示されると共にタイマ機能作動中は残時間が表示され、設定した時間が経過すると自動消火される。
【００３２】
本実施形態では、上述した調理表示部８（揚げもの表示部８１、炊飯表示部８２、湯わかし表示部８３）及び後述する加熱部選択表示部６３（左こんろ部選択表示部６３ａ、右こんろ部選択表示部６３ｂ）は、ＬＥＤからなる発光部を備えており、点灯や点滅、更に点灯の場合には光の強度や発光色を異ならせたり、点滅の場合には点滅の周期や光の強度や発光色を異ならせたりすることで、様々な表示形態での表示が可能となっている。
【００３３】
また、本体ケーシング１の前面の上部の右端に、制御部をはじめ電磁弁２７や流量制御弁２９、調理設定部５への通電の入切を行う自動復帰型で押し釦式の電源スイッチ１２が設けてある。
【００３４】
上記のような構成の本発明のガスこんろＡの使用に当たっては、基本的には以下のようにして行うものである。
【００３５】
各加熱部２の使用に当たっては、押釦よりなる点火・消火操作部４を指で押すことで点火・消火操作部４を前方に突出するのであるが、この時該当する加熱部２にガスが供給されると共に点火される。点火・消火操作部４が本体ケーシング１の前面から突出した燃焼状態で突出した点火・消火操作部４を指で摘んで回動操作することで該当する加熱部２の火力調整を行うものである。また、突出状態の点火・消火操作部４を押し込むことで消火されると共に押し込んで前面が本体ケーシング１の前面と略面一となった状態で後退状態が維持される。
【００３６】
次に、自動調理を実行する場合について説明する。自動調理を実行する場合は、使用する方の加熱部２（左こんろ部２ａ又は右こんろ部２ｂ）に対応する点火・消火操作部４（４ａ又は４ｂ）を操作して器具栓をＯＮにして点火操作を行うと共に、調理設定部５の加熱部選択入力部６で、左こんろ部２ａ又は右こんろ部２ｂのうちの使用する方に対応する左こんろ部選択スイッチ６１又は右こんろ部選択スイッチ６２を押し操作して選択入力し、その後、調理入力部７で揚げもの、炊飯、湯わかしから目的とする自動調理に対応するスイッチを操作することで、選択した方の加熱部２によって目的とする自動調理が実行され、制御部により火力調整、調理時間等が制御される。なお、前記説明では、対応する加熱部２の器具栓をＯＮにしてから加熱部選択入力部６で対応する加熱部２を選択入力するとしたが、加熱部選択入力部６で対応する加熱部２を選択入力してから対応する加熱部２の器具栓をＯＮにしてもよい。
【００３７】
加熱部２を選択して自動調理モードへと移行するまでについて、図４に示すフローチャートに基づいて説明する。
【００３８】
初めは、加熱部２が選択されていない未選択状態（Ｓ０）となっている。
【００３９】
次にステップ（Ｓ１）では、左こんろ部２ａの点火・消火操作部４ａが点火操作されていて器具栓がＯＮとなっていて、且つ、左こんろ部選択スイッチ６１が押し操作されて左こんろ部２ａの選択入力がＯＮとなっているかが判定される。いずれかがＯＮとなっていなければステップ（Ｓ７）に進み、いずれもＯＮとなっていれば次のステップ（Ｓ２）に進む。なお、このステップ（Ｓ１）では、器具栓がＯＮとなっていても自動調理やタイマ機能や異常検知によって自動消火された場合には、器具栓がＯＦＦとみなす。また、器具栓が一旦ＯＦＦとなった後に点火操作により器具栓がＯＮとなれば、点火・消火検知手段により点火が未検知でも点火されるものとして次のステップ（Ｓ２）に進む。
【００４０】
ステップ（Ｓ２）では、左こんろ部選択表示部６３ａで点灯表示を行い、これにより左こんろ部２ａの選択を受け付けて、左こんろ部２ａでの自動調理を受け付け可能な左こんろ部選択モードとなり、次のステップ（Ｓ３）に進む。
【００４１】
ステップ（Ｓ３）では、いずれかの自動調理に対応する調理入力部７（揚げものスイッチ７１、炊飯スイッチ７２、湯わかしスイッチ７３）がＯＮとなっているか否かが判定される。いずれかがＯＮとなっていればステップ（Ｓ２０）に進んで後述する左こんろ部自動調理モードへと移行し、いずれもＯＦＦとなっていれば、次のステップ（Ｓ４）に進む。
【００４２】
ステップ（Ｓ４）では、右こんろ部２ｂの点火・消火操作部４ｂが点火操作されていて器具栓がＯＮとなっており、且つ、右こんろ部選択スイッチ６２が押し操作されて右こんろ部２ｂの選択入力がＯＮとなっているかが判定される。いずれかがＯＦＦとなっていればステップ（Ｓ５）に進み、いずれもＯＮとなっていれば、ステップ（Ｓ６）に進んで左こんろ部選択表示部６３ａの表示を停止（本実施形態では消灯）して左こんろ部選択モードを解除し、ステップ（Ｓ８）に進む。
【００４３】
ステップ（Ｓ５）では、左こんろ部２ａの器具栓がＯＦＦとなっているか、又は、左こんろ部選択スイッチ６１が再び押し操作されて左こんろ部２ａの選択入力がＯＦＦとなっているか、が判定される。いずれかがＯＦＦとなっていれば、左こんろ部選択モードを解除して未選択状態（Ｓ０）に戻り、いずれもＯＮとなっていれば、左こんろ部選択モードを維持してステップ（Ｓ３）に戻り、左こんろ部自動調理モードへの移行待ちの繰り返しルーチンが実行される。
【００４４】
なお、左こんろ部選択スイッチ６１及び右こんろ部選択スイッチ６２は、同じスイッチを押し操作する毎にＯＮとＯＦＦとが切り替わり、異なるスイッチを押し操作すると該押し操作されたスイッチがＯＮとなり他のスイッチはＯＦＦとなる。
【００４５】
ステップ（Ｓ７）へは、上述したように、上記ステップ（Ｓ１）で左こんろ部２ａの器具栓がＯＮでないか、又は、左こんろ部選択スイッチ６１の押し操作による左こんろ部２ａの選択入力がＯＮでない場合に、左こんろ部選択モードに移行せずに進む。そして、ステップ（Ｓ７）で、右こんろ部２ｂの器具栓がＯＮとなっていて、且つ、右こんろ部選択スイッチ６２が押し操作されて右こんろ部２ｂの選択入力がＯＮとなっているかが判定される。いずれかがＯＦＦとなっていれば未選択状態（Ｓ０）に戻り、いずれもＯＮとなっていれば次のステップ（Ｓ８）に進む。
【００４６】
ステップ（Ｓ８）では、右こんろ部選択表示部６３ｂで点灯表示を行い、これにより右こんろ部２ｂの選択を受け付けて、右こんろ部２ｂでの自動調理を受け付け可能な右こんろ部選択モードとなり、次のステップ（Ｓ９）に進む。
【００４７】
ステップ（Ｓ９）では、いずれかの自動調理に対応する調理入力部７（揚げものスイッチ７１、炊飯スイッチ７２、湯わかしスイッチ７３）がＯＮとなっているか否かが判定され、いずれかがＯＮとなっていればステップ（Ｓ４０）に進んで後述する右こんろ部自動調理モードへと移行し、いずれもＯＦＦとなっていれば、次のステップ（Ｓ１０）に進む。
【００４８】
ステップ（Ｓ１０）では、左こんろ部２ａの点火・消火操作部４ａが点火操作されていて器具栓がＯＮとなっており、且つ、左こんろ部選択スイッチ６１が押し操作されて左こんろ部２ａの選択入力がＯＮとなっているかが判定される。いずれかがＯＦＦとなっていれば次のステップ（Ｓ１１）に進み、いずれもＯＮとなっていればステップ（Ｓ１２）に進んで、右こんろ部選択表示部６３ｂの表示を停止（本実施形態では消灯）して右こんろ部選択モードを解除し、ステップ（Ｓ２）に進む。
【００４９】
ステップ（Ｓ１１）では、右こんろ部２ｂの器具栓がＯＦＦとなっているか、又は、右こんろ部選択スイッチ６２が再び押し操作されて右こんろ部２ｂの選択入力がＯＦＦとなっているか、が判定される。いずれかがＯＦＦとなっていれば、右こんろ部選択モードを解除して未選択状態（Ｓ０）に戻り、いずれもＯＮとなっていれば、右こんろ部選択モードを維持してステップ（Ｓ９）に戻り、右こんろ部自動調理モードへの移行待ちの繰り返しルーチンが実行される。
【００５０】
次に、左こんろ部自動調理モードについて、図５に示すフローチャートに基づいて説明する。
【００５１】
ステップ（Ｓ２０）で左こんろ部自動調理モードが開始されると、次のステップ（Ｓ２１）で、調理入力部７（揚げものスイッチ７１、炊飯スイッチ７２、湯わかしスイッチ７３）のうちＯＮとなっている自動調理に対応する調理表示部８（揚げもの表示部８１、炊飯表示部８２、湯わかし表示部８３）で点灯表示を行い、左こんろ部２ａで選択されている前記自動調理が実行され、次のステップ（Ｓ２２）に進む。
【００５２】
ステップ（Ｓ２２）では、右こんろ部２ｂの点火・消火操作部４ｂが点火操作されていて器具栓がＯＮとなっており、且つ、右こんろ部選択スイッチ６２が押し操作されて右こんろ部２ｂの選択入力がＯＮとなっているかが判定される。いずれかがＯＦＦとなっていれば次のステップ（Ｓ２３）に進み、いずれもＯＮとなっていれば、ステップ（Ｓ２５）に進む。
【００５３】
ステップ（Ｓ２３）では、左こんろ部選択表示部６３ａ及び選択されている自動調理に対応する調理表示部８での点灯表示を行うと共に、左こんろ部２ａでの自動調理が維持され、更に、右こんろ部選択表示部６３ｂ及び右こんろ部２ｂについて選択された自動調理に対応する調理表示部８での表示を停止し、次のステップ（Ｓ２４）に進む。このステップ（Ｓ２３）は、後述するステップ（Ｓ３１）→ステップ（Ｓ２２）→ステップ（Ｓ２３）と進む場合に効果的に機能し、ステップ（Ｓ２１）→ステップ（Ｓ２２）→ステップ（Ｓ２３）と進む場合は現状を維持するのみとなる。
【００５４】
ステップ（Ｓ２４）では、左こんろ部２ａの器具栓がＯＦＦとなっているか否かが判定される。ＯＦＦとなっていれば、左こんろ部自動調理モード及び左こんろ部選択モードを解除してステップ（Ｓ１）に戻り、ＯＮとなっていれば、ステップ（Ｓ２２）に戻り、左こんろ部選択モード及び左こんろ部自動調理モードを維持する繰り返しルーチンが実行される。
【００５５】
ステップ（Ｓ２５）へは、上述したように、上記ステップ（Ｓ２２）で右こんろ部２ｂの器具栓がＯＮであり、且つ、右こんろ部選択スイッチ６２の押し操作による右こんろ部２ｂの選択入力がＯＮである場合に進む。このステップ（Ｓ２５）で、左こんろ部自動調理モードを維持すると共に左こんろ部選択モードを解除して、左こんろ部選択表示部６３ｂ及び選択されている自動調理に対応する調理表示部８で点滅表示（一表示形態）を行う。ここでは、左こんろ部２ａで自動調理の実行は継続されるが、左こんろ部選択モードが解除されているため左こんろ部２ａでの自動調理の変更は不可となっている。
【００５６】
ステップ（Ｓ２６）では、右こんろ部選択表示部６３ｂで点灯表示（別の表示形態）を行い、これにより右こんろ部２ｂの選択を受け付けて、右こんろ部２ｂでの自動調理を受け付け可能な右こんろ部選択モードとなり、次のステップ（Ｓ２７）に進む。
【００５７】
ステップ（Ｓ２７）では、いずれかの自動調理に対応する調理入力部７（揚げものスイッチ７１、炊飯スイッチ７２、湯わかしスイッチ７３）がＯＮとなっているか否かが判定され、いずれかがＯＮとなっていればステップ（Ｓ３０）に進んで左こんろ部自動調理モードを維持したまま仮右こんろ部自動調理モードへと移行する。ここで、左こんろ部２ａで選択されている自動調理と同じ自動調理に対応する加熱部選択入力部６をＯＮとしようとしても、右こんろ部２ｂでの該自動調理の選択入力を受け付けず、音声や光等により報知する報知手段（図示せず）により選択が受け付けられない旨を報知する。
【００５８】
また、ステップ（Ｓ２７）でいずれもＯＦＦとなっていれば、次のステップ（Ｓ２８）に進む。
【００５９】
ステップ（Ｓ２８）では、右こんろ部２ｂの器具栓がＯＦＦとなっているか、又は、右こんろ部選択スイッチ６２が再び押し操作されて右こんろ部２ｂの選択入力がＯＦＦとなっているか、が判定される。いずれかがＯＦＦとなっていれば、右こんろ部選択モードを解除し、左こんろ部自動調理モードを維持すると共に左こんろ部選択モードに移行し、次のステップ（Ｓ２９）に進む。
【００６０】
ステップ（Ｓ２９）では、右こんろ部選択表示部６３ｂでの表示を停止すると共に、左こんろ部選択表示部６３ａ及び選択されている自動調理に対応する調理表示部８で点灯表示を行い、左こんろ部自動調理モードの最初のステップ（Ｓ２０）に戻る。
【００６１】
また、ステップ（Ｓ２８）でいずれもＯＮとなっていれば、右こんろ部選択モードを維持してステップ（Ｓ２７）に戻り、仮右こんろ部自動調理モードへの移行待ちの繰り返しルーチンが実行される。
【００６２】
ステップ（Ｓ３０）の仮右こんろ部自動調理モードでは、調理入力部７のうちＯＮとなっている自動調理に対応する調理表示部８が点灯表示（別の表示形態）を行い、選択されている右こんろ部２ｂで選択されている前記自動調理が実行可能な状態となり、次のステップ（Ｓ３１）に進む。
【００６３】
ステップ（Ｓ３１）では、右こんろ部２ｂの器具栓がＯＦＦとなっているか否かが判定される。ＯＦＦとなっていれば、右こんろ部選択モード及び仮右こんろ部自動調理モードを解除してステップ（Ｓ２２）へと戻り、ＯＮとなっていれば、右こんろ部選択モード及び仮右こんろ部自動調理モードを維持してステップ（Ｓ３２）に進む。
【００６４】
ステップ（Ｓ３２）では、右こんろ部選択表示部６２ｂ及び選択されている自動調理に対応する調理表示部８での点灯表示が維持されると共に、選択されている前記自動調理が維持され、次のステップ（Ｓ３３）に進む。
【００６５】
ステップ（Ｓ３３）では、左こんろ部２ａの器具栓がＯＦＦとなっているか否かが判定される。ＯＦＦとなっていれば、左こんろ部自動調理モード及び仮右こんろ部自動調理モードを解除して、右こんろ部自動調理モードのステップ（Ｓ４２）に進む。ＯＮとなっていれば、次のステップ（Ｓ３４）に進む。
【００６６】
ステップ（Ｓ３４）では、左こんろ部自動調理モードが維持されると共に、仮右こんろ部自動調理モード及び右こんろ部選択モードが維持され、更に、左こんろ部選択表示部６３ａ及び選択されている自動調理に対応する調理表示部８での点滅表示（一表示形態）が維持されると共に、右こんろ部選択表示部６３ｂ及び選択されている自動調理に対応する調理表示部８での点灯表示（別の表示形態）が維持される。ここでは、左こんろ部２ａで自動調理が実行されていれば継続されるが、左こんろ部選択モードが解除されているため左こんろ部２ａでの自動調理の変更は不可となっており、また、右こんろ部２ａで自動調理が実行されていれば継続されると共に、自動調理の変更が可能となっている。そして、ステップ（Ｓ３１）に戻り、左こんろ部自動調理モード及び仮右こんろ部自動調理モードを維持する繰り返しルーチンが実行される。
【００６７】
右こんろ部自動調理モードについては、図６にフローチャートを示し、詳細な説明は省略する。すなわち、右こんろ部自動調理モードの（Ｓ４０）〜（Ｓ５４）は、上述した左こんろ部自動調理モードの（Ｓ２０）〜（Ｓ３４）にそれぞれ対応し、その説明中の右こんろ部２ｂ、右こんろ部選択スイッチ６２、右こんろ部選択表示部６３ｂ、右こんろ部選択モード、右こんろ部自動調理モード、仮右こんろ部自動調理モード、と、左こんろ部２ａ、左こんろ部選択スイッチ６１、左こんろ部選択表示部６３ａ、左こんろ部選択モード、左こんろ部自動調理モード、仮左こんろ部自動調理モード、とを互いに置き換えることで同様の説明となるため、再度の記載を省略するものである。
【００６８】
また、自動調理やタイマ機能や異常検知によって自動消火された場合には、点火・消火操作部４が器具栓をＯＮとする状態であっても燃料ガスが遮断されて消火状態が維持されるため、該加熱部２の選択入力がなされても受け付けずに、報知手段により選択が受け付けられなかった旨が報知される。
【００６９】
そして、自動調理は、制御部によりあらかじめ設定された制御内容を全て実行するか、又は器具栓をＯＦＦにすることで終了する。
【００７０】
また、電源スイッチ１２をＯＦＦにすることで、加熱部選択入力部６、調理入力部７での入力情報がリセットされ、再び電源スイッチ１２をＯＮにすることで未選択状態（Ｓ０）となる。  
【００７１】
上述したガスこんろにおいては、複数の加熱部２を備えると共に、加熱部２で自動調理を行うための調理設定部５を設け、自動調理を行う加熱部２を加熱部選択入力部６の選択入力して使用することで、ガスこんろに調理設定部５を一つ設けるだけで済んで、複数の加熱部２に対応する調理設定部５をそれぞれ設けるもののように、本体ケーシング１に複数の調理設定部５を設けるスペースを確保する必要がなくて、本体ケーシング１の小型化及び簡素化が図られると共にコストの増加を防止することができる。また、自動調理が可能な加熱部２をいずれか一つの加熱部２に固定する場合に、バリエーションをもたせるべく自動調理が可能な加熱部２の位置を異ならせた複数種類のガスこんろを製造する必要がなく、設計及び製造ラインの簡素化が図られる。
【００７２】
そして本発明にあっては、加熱部選択入力部６での入力による切り替えにより、いずれか一の加熱部２での自動調理モードを維持したまま、別の加熱部２の選択モードへと移行すると共に該加熱部２の自動調理モードへと移行することが可能となって、複数の加熱部２で同時に自動調理を行うことが可能となる。
【００７３】
更に、選択した一の加熱部２を加熱部選択表示部６３で一表示形態で表示すると共に、一の加熱部２で実行した自動調理を調理表示部８で一表示形態で表示し、別の加熱部２を加熱部選択表示部６３で別の表示形態で表示すると共に、別の加熱部２で実行した自動調理を調理表示部８で別の表示形態で表示することで、いずれの加熱部２でいずれの自動調理が行われているかを認識することが可能となる。
【００７４】
また、一の加熱部２の選択を受け付けて加熱部選択モードとなった後、所定時間内に調理入力部７からの入力がない場合に、前記加熱部２の選択を解除するようにすれば、加熱部選択モードを維持する必要がなく、前記加熱部選択モードを長時間維持して加熱部選択表示部６３を表示することによる無駄なエネルギー消費を抑えることができる。
【００７５】
また、自動調理が可能な複数の加熱部２（本実施形態では左こんろ部２ａと右こんろ部２ｂ）の火力を略同等（本実施形態では後こんろ部２ｃの小火力に対して高火力）とすれば、自動調理が可能な複数の加熱部２のうちの高火力とする加熱部２の位置を異ならせた複数種類のガスこんろを製造する必要がなくて設計及び製造ラインの簡素化が図られ、在庫を減らすことができる。
【００７６】
また、選択されている加熱部選択モードの解除は、選択されている加熱部２に対応する加熱部選択入力部６の選択入力を行うか、あるいは、器具栓をＯＦＦとすることで行われるため、取消スイッチを別に設けなくても選択の取消が行われて、取消スイッチを省略することができ、本体ケーシング１の小型化及び簡素化が図られると共にコストの削減が図られる。
【００７７】
なお上述した本実施形態では、複数の加熱部２で同じ自動調理を行うことができないが、別の実施形態として、複数の加熱部２で同じ自動調理を行うことを可能としてもよい。
【００７８】
この時、選択した一の加熱部２を加熱部選択表示部６３での一表示形態による表示と、該一の加熱部２で実行した自動調理の調理表示部８での一表示形態による表示とを同期させると共に、別の加熱部２を加熱部選択表示部６３での別の表示形態による表示と、該別の加熱部２で実行した自動調理の調理表示部８での別の表示形態による表示とを同期させ、各同期の期間をずらすことで、いずれの加熱部２でいずれの自動調理が行われているかを認識することが可能となる。
【００７９】
例えば、一の加熱部２に対応する加熱部選択表示部６３での表示及び該一の加熱部２で実行した自動調理に対応する調理表示部８での表示を行うと共に、別の加熱部２に対応する加熱部選択表示部６３での表示及び該別の加熱部２で実行した自動調理に対応する調理表示部８での表示（一の加熱部２で実行した自動調理と同じ場合を除く）を停止する期間１と、別の加熱部２に対応する加熱部選択表示部６３での表示及び該別の加熱部２で実行した自動調理に対応する調理表示部８での表示を行うと共に、一の加熱部２に対応する加熱部選択表示部６３での表示及び該一の加熱部２で実行した自動調理に対応する調理表示部８での表示（別の加熱部２で実行した自動調理と同じ場合を除く）を停止する期間２とを、一定の周期で繰り返せばよい。またこの場合、一表示形態と別の表示形態というように各表示形態を異ならせる必要がなく、同じ表示形態（例えば両方とも点灯又は点滅）としてもよい。
【図面の簡単な説明】
【００８０】
【図１】加熱調理器としてのガスこんろの全体斜視図である。
【図２】同上のガスこんろの燃料ガスの供給を説明する図である。
【図３】同上のガスこんろの調理表示部の正面図である。
【図４】本発明において加熱部を選択して自動調理モードへと移行するまでのフローチャートである。
【図５】本発明における左こんろ部自動調理モードのフローチャートである。
【図６】本発明における右こんろ部自動調理モードのフローチャートである。
【符号の説明】
【００８１】
１    本体ケーシング
２    加熱部
２ａ  左こんろ部
２ｂ  右こんろ部
３    グリル
４    点火・消火操作部
５    調理設定部
６    加熱部選択入力部
６１  左こんろ部選択スイッチ
６２  右こんろ部選択スイッチ
６３  加熱部選択表示部
６３ａ  左こんろ部選択表示部
６３ｂ  右こんろ部選択表示部
７    調理入力部
７１  揚げものスイッチ
７２  炊飯スイッチ
７３  湯わかしスイッチ
８    調理表示部
８１  揚げもの表示部
８２  炊飯表示部
８３  湯わかし表示部
９    タイマ入力部
【図１】
2010112625.tif 000003
【図２】
2010112625.tif 000004
【図３】
2010112625.tif 000005
【図４】
2010112625.tif 000006
【図５】
2010112625.tif 000007
【図６】
2010112625.tif 000008